(57)【要約】  本発明は、駆動源（１０）の駆動力を無段階に変速する無段変速機構（３２）と、駆動力を、無段変速機構（３２）の一端側に入力する低速入力経路（３６，３８，２８，２６，３２ａ）及び他端側に入力する高速入力経路（４０，４２，３０，２６，３２ｂ）と、入力経路を選択的に切り替える入力経路切替手段（３４）と、無段変速機構（３２）及び入力経路切替手段（３４）を制御する制御手段（１００）とを備え、車両（１４）が急減速して所定の走行状態にあると判断した時、無段変速機構（３２）の変速比を所定変速比に維持し、更に車速が所定速度以下となった時、入力経路を切り替える（Ｓ１６からＳ２０）ように構成された無段変速機の制御装置に関する。本発明は、これにより、無段変速機構（３２）を高速走行状態から再発進時状態とする変速を容易とし、且つ入力経路の切り替えに要する時間の短縮を可能とする。
2015141547.tif 000002
【特許請求の範囲】
【請求項１】
車両に搭載される駆動源に接続される入力軸と、前記入力軸と前記車両の駆動輪に接続される出力軸との間に介挿されて前記入力軸から入力される前記駆動源の駆動力を無段階に変速する無段変速機構と、前記入力軸から入力される前記駆動源の駆動力を前記無段変速機構の一端側に入力する低速入力経路と、前記入力軸から入力される前記駆動源の駆動力を前記無段変速機構の他端側に入力する高速入力経路と、前記低速入力経路と前記高速入力経路のうち、前記入力軸から入力される駆動力が伝達されるべき入力経路を選択的に切り替える入力経路切替手段と、前記無段変速機構および前記入力経路切替手段の動作を制御する制御手段とを備えた無段変速機の制御装置において、前記車両の車速を検出する車速検出手段と、前記車両が急減速したか否か判断する急減速判定手段と、前記車両が急減速したと判定されたとき、前記駆動源の駆動力が前記高速入力経路を介して前記無段変速機構に入力される所定の走行状態にあるか否か判断する走行状態判断手段とを備え、前記制御手段は、前記車両が前記急減速したときに前記所定の走行状態にあると判断されたとき、前記無段変速機構の変速比を所定変速比に維持すると共に、前記急減速後、前記検出された車速が所定速度以下となったとき、前記入力経路を切り替えることを特徴とする無段変速機の制御装置。
【請求項２】
前記無段変速機構は、第１プーリ、第２プーリおよび前記第１プーリと第２プーリの間に掛け回される無端可撓性部材を有することを特徴とする請求項１記載の無段変速機の制御装置。
【請求項３】
前記所定の走行状態は、前記駆動源の駆動力が前記高速入力経路を介して前記無段変速機構に入力され、かつ、クルーズ走行状態であることを特徴とする請求項１または２記載の無段変速機の制御装置。
【発明の詳細な説明】
【技術分野】
【０００１】  この発明は無段変速機の制御装置に関し、より具体的には、駆動源のトルクを伝える経路を複数有する無段変速機において、トルク伝達経路の切り替えを伴う変速を行う制御装置に関する。
【背景技術】
【０００２】  従来から、オーバーオール変速比を拡大するために、複数のギアを噛合させたギア列からなる副変速機構（ギア機構）を無段変速機構と組み合わせるようにした無段変速機が知られている（例えば特許文献１）。【０００３】  即ち、特許文献１記載の技術では、第１〜第３減速機および増速機からなる副変速機構を備え、無段変速機構におけるトルク伝達経路を、一方のプーリから他方のプーリへの第１経路と、他方のプーリから一方のプーリへの第２経路との間で切り替えることにより、オーバーオール変速比を拡大するようにしている。【０００４】  また、副変速機構を備える無段変速機に限らず、車両の発進時には無段変速機構の変速比を最大変速比に設定し、再発進時の駆動力を確保して発進性能を向上させることが良く知られているが、車両が高速走行中に急減速した場合、無段変速機構の変速比を最大変速比まで変速させることが間に合わず、再発進時における発進性能が低下してしまう虞がある。【０００５】  そこで、特許文献２記載の技術にあっては、無段変速機構のベルト部分に設けられたベルトテンショナにモータ駆動のローラを取り付けることで急減速時における変速を促進するようにしている。
【先行技術文献】
【特許文献】
【０００６】
【特許文献１】国際公開２０１３／１７５５６８号
【特許文献２】特開２００５−３３１０７９号公報
【発明の概要】
【発明が解決しようとする課題】
【０００７】  しかしながら、特許文献２記載の技術にあっては、急減速時における変速を促進する手段としてモータ駆動のローラを取り付けなければならず、その分だけ構造が複雑化し、コストの増加などの問題を避けることが出来ないという不都合がある。【０００８】  また、副変速機構を備える無段変速機の如く、トルク伝達経路を複数有する無段変速機にあっては、高速走行状態から再発進時の状態とするには副変速機構の切替制御も行わなければならないため、通常の手順に従って変速制御を行っていたのでは、高速走行中における急減速に対して変速動作が間に合わず、再発進時の駆動力を十分に確保できない虞がある。【０００９】  従って、この発明の目的は上記した課題を解決し、トルク伝達経路を複数有する無段変速機において、車両が高速走行中に急減速した場合であっても、無段変速機構の変速比を最大変速比へと変速させることを可能とし、よって再発進時の発進性能を向上させるようにした無段変速機の制御装置を提供することにある。
【課題を解決するための手段】
【００１０】  上記した課題を解決するために、請求項１にあっては、車両に搭載される駆動源に接続される入力軸と、前記入力軸と前記車両の駆動輪に接続される出力軸との間に介挿されて前記入力軸から入力される前記駆動源の駆動力を無段階に変速する無段変速機構と、前記入力軸から入力される前記駆動源の駆動力を前記無段変速機構の一端側に入力する低速入力経路と、前記入力軸から入力される前記駆動源の駆動力を前記無段変速機構の他端側に入力する高速入力経路と、前記低速入力経路と前記高速入力経路のうち、前記入力軸から入力される駆動力が伝達されるべき入力経路を選択的に切り替える入力経路切替手段と、前記無段変速機構および前記入力経路切替手段の動作を制御する制御手段とを備えた無段変速機の制御装置において、前記車両の車速を検出する車速検出手段と、前記車両が急減速したか否か判断する急減速判定手段と、前記車両が急減速したと判定されたとき、前記駆動源の駆動力が前記高速入力経路を介して前記無段変速機構に入力される所定の走行状態にあるか否か判断する走行状態判断手段とを備え、前記制御手段は、前記車両が前記急減速したときに前記所定の走行状態にあると判断されたとき、前記無段変速機構の変速比を所定変速比に設定すると共に、前記急減速後、前記検出された車速が所定速度以下となったとき、前記入力経路を切り替える如く構成した。【００１１】  請求項２にあっては、前記無段変速機構は、第１プーリ、第２プーリおよび前記第１プーリと第２プーリの間に掛け回される無端可撓性部材を有する如く構成した。【００１２】  請求項３にあっては、前記所定の走行状態は、前記駆動源の駆動力が前記高速入力経路を介して前記無段変速機構に入力され、かつ、クルーズ走行状態である如く構成した。
【発明の効果】
【００１３】  請求項１にあっては、駆動源の駆動力を無段階に変速する無段変速機構と、駆動力を、無段変速機構の一端側に入力する低速入力経路および他端側に入力する高速入力経路と、入力経路を選択的に切り替える入力経路切替手段と、無段変速機構および入力経路切替手段を制御する制御手段とを備えた無段変速機の制御装置において、車両が急減速したと判定されたとき、車両が所定の走行状態にあるか否か判断し、急減速したときに所定の走行状態にあると判断したときは無段変速機構の変速比を所定変速比に維持すると共に、車速が所定速度以下となったとき、入力経路を切り替えるように構成したので、無段変速機構を高速走行状態から再発進時の状態へと容易に変速させることができると共に、入力経路の切り替えに要する時間を短縮することが可能となる。【００１４】  即ち、急減速があった場合にあっても、無段変速機構の変速比を所定の変速比に維持するのみとしたので、急減速時における変速を行うための機構を別途設ける必要がなく、簡易な構成でありながら、無段変速機構を容易に再発進時の状態へと変速することができる。【００１５】  また、複数のトルク伝達経路を有する無段変速機にあっては、通常の手順であれば、車両が高速走行中に減速された場合、無段変速機構の変速制御に加え、入力経路を高速入力経路から低速入力経路へと切り替える必要があり、変速制御が複雑かつ時間を要する。特に、入力経路の切り替えに際しては、低速／高速入力経路を構成するギア機構の磨耗や変速ショックを防止するためのトルクダウン制御も必要とされることから、入力経路の切り替えには相当の時間を要することとなる。しかしながら、請求項１に係る発明にあっては、低速入力経路と高速入力経路とで無段変速機構への入力経路が逆転するように構成し、高速走行中に急減速があった場合、車速が所定速度以下になるまでは入力経路の切り替えは行わず、無段変速機構の変速比を所定変速比に維持する変速制御のみを実行するように構成したので、容易に再発進時の状態、即ち、最大変速比を確立することが可能となる。また、車速が所定速度以下になってから入力経路の切り替えを実行、換言すれば、無段変速機構を介して伝達されるトルクが十分小さくなってから入力経路の切り替えを実行するように構成したので、トルクダウン制御を行わずともギア機構の磨耗や変速ショックを防止することが可能となり、その分だけ入力経路の切り替えに要する時間を短縮することが可能となる。【００１６】  請求項２にあっては、無段変速機構は、第１プーリ、第２プーリおよびこれらの間に掛け回される無端可撓性部材を有するように構成したので、上記した効果に加え、無段変速機構の耐久性を向上することができると共に／または、軽量化を図ることが可能となる。【００１７】  即ち、第１、第２プーリおよび無端可撓性部材を有する無段変速機構にあっては、車両が高速走行中に急減速した場合、通常の手順によって変速制御を実行すると、第１、第２プーリに供給される側圧を制御して第１、第２プーリの溝幅を変化させなくてはならないため、その分だけ第１、第２プーリおよびそこに掛け回される無端可撓性部材が磨耗する虞があるが、かかる不都合を解消することができるた��、第１、第２プーリおよび無端可撓性部材の耐久性を向上させることができると共に、その分だけ軽量化を図ることも可能となる。【００１８】  請求項３に係る発明にあっては、所定の走行状態は、駆動源の駆動力が高速入力経路を介して無段変速機構に入力され、かつ、クルーズ走行状態であるように構成したので、上記した効果に加え、無段変速機構を高速走行状態から再発進時の状態へとより一層容易に変速させることができる。即ち、クルーズ走行状態にあっては、無段変速機構の変速比は最小変速比に設定されるが、ここで無段変速機構へのトルク入力経路を高速入力経路から低速入力経路へと逆転させれば、無段変速機構を構成する要素を変化させることなく、確実かつ容易に再発進時の状態である最大変速比を確立することができる。
【図面の簡単な説明】
【００１９】
【図１】この発明の実施例に係る無段変速機の制御装置を全体的に示す概略図である。
【図２】図１に示す無段変速機における通常のトルク伝達経路の切替動作を模式的に示す説明図である。
【図３】図１に示す無段変速機の制御装置の動作を説明するフロー・チャートである。
【図４】図３フロー・チャートの処理に従って実行されるトルク伝達経路の切替動作を模式的に示す説明図である。
【発明を実施するための形態】
【００２０】  以下、添付図面に即してこの発明に係る無段変速機の制御装置を実施するための形態について説明する。
【実施例】
【００２１】  図１はこの発明の実施例に係る無段変速機の制御装置を全体的に示す概略図である。【００２２】  図１において符号１０はエンジン（内燃機関。駆動源）を示す。エンジン１０は駆動輪１２を備えた車両１４に搭載される（車両１４は駆動輪１２などで部分的に示す）。【００２３】  エンジン１０の吸気系に配置されたスロットルバルブ１６は車両運転席床面に配置されるアクセルペダル１８との機械的な接続が絶たれて電動モータなどのアクチュエータからなるＤＢＷ（Drive By Wire）機構１９に接続され、ＤＢＷ機構１９で開閉される。【００２４】  また、車両１０の運転席床面にはブレーキペダル２０が配置され、運転者がブレーキペダル２０を踏み込むと、その踏み込み力はマスタバック２０ａで増力されてマスタシリンダ２０ｂからディスクブレーキ２０ｃに伝えられ、ディスクブレーキ２０ｃを動作させて車両１０を制動（減速）させる。【００２５】  スロットルバルブ１６で調量された吸気はインテークマニホルド（図示せず）を通って流れ、各気筒の吸気ポート付近でインジェクタ（図示せず）から噴射された燃料と混合して混合気を形成し、吸気バルブ（図示せず）が開弁されたとき、当該気筒の燃焼室（図示せず）に流入する。燃焼室において混合気は点火されて燃焼し、ピストンを駆動してクランクシャフト２２を回転させた後、排気となってエンジン１０の外部に放出される。【００２６】  クランクシャフト２２の回転はトルクコンバータ２４を介して無段変速機（Continuously Variable Transmission）Ｔに入力される。無段変速機Ｔはクランクシャフト２２にトルクコンバータ２４を介して接続された主入力軸（入力軸）２６と、主入力軸２６に対して平行に配置された第１副入力軸２８および第２副入力軸３０と、第１副入力軸２８および第２副入力軸３０の間に配置された無段変速機構３２とを備える。【００２７】  無段変速機構３２は第１副入力軸２８、より正確にはその外周側シャフトに配置された第１プーリ３２ａと、第２副入力軸３０、より正確にはその外周側シャフトに配置された第２プーリ３２ｂと、その間に掛け回される無端可撓性部材、例えば金属製のベルト３２ｃからなる。【００２８】  第１プーリ３２ａは、第１副入力軸２８の外周側シャフトに相対回転不能で軸方向移動不能に配置された固定プーリ半体３２ａ１と、第１副入力軸２８の外周側シャフトに相対回転不能で固定プーリ半体３２ａ１に対して軸方向に相対移動可能な可動プーリ半体３２ａ２と、可動プーリ半体３２ａ２の側方に設けられて油圧（作動油の圧力）を供給されるときに可動プーリ半体３２ａ２を固定プーリ半体３２ａ１に向けて押圧する、ピストンとシリンダとスプリングからなる油圧アクチュエータ３２ａ３を備える。【００２９】  第２プーリ３２ｂは、第２副入力軸３０の外周側シャフトに相対回転不能で軸方向移動不能に配置された固定プーリ半体３２ｂ１と、第２副入力軸３０の外周側シャフトに相対回転不能で固定プーリ半体３２ｂ１に対して軸方向に相対移動可能な可動プーリ半体３２ｂ２と、可動プーリ半体３２ｂ２の側方に設けられて油圧（作動油の圧力）を供給されるときに可動プーリ半体３２ｂ２を固定プーリ半体３２ｂ１に向けて押圧する、ピストンとシリンダと���プリングからなる油圧アクチュエータ３２ｂ３を備える。【００３０】  主入力軸２６にはＬＯＷ摩擦クラッチ３４ａ（低速入力係合機構）およびＨＩＧＨ摩擦クラッチ３４ｂ（高速入力係合機構）からなる入力切替機構３４（入力経路切替手段）が設けられる。また、主入力軸２６には第１減速ギア３６が相対回転自在に支持されると共に、第１副入力軸２８には第１減速ギア３６に噛合する第２減速ギア３８が固設される。従って、ＬＯＷ摩擦クラッチ３４ａを係合すると、主入力軸２６から入力されるエンジン１０のトルクは第１、第２減速ギア３６，３８で減速された後、第１副入力軸２８を介して第１プーリ３２ａに入力される。なお、この明細書において、第１、第２減速ギア３６，３８および第１副入力軸２８を介して主入力軸２６から第１プーリ３２ａへとトルクを伝達する経路を低速入力経路と呼ぶ。【００３１】  さらに、主入力軸２６には第１増速ギア４０が相対回転自在に支持されると共に、第２副入力軸３０には第１増速ギア４０に噛合する第２増速ギア４２が相対回転自在に支持される。従って、ＨＩＧＨ摩擦クラッチ３４ｂを係合すると、主入力軸２６から入力されるエンジン１０のトルクは第１、第２増速ギア４０，４２で増速された後、第２副入力軸３０を介して第２プーリ３２ｂに入力される。なお、この明細書において第１、第２増速ギア４０，４２および第２副入力軸３０を介して主入力軸２６から第２プーリ３２ｂへとトルクを伝達する経路を高速入力経路と呼ぶ。【００３２】  第２副入力軸３０にはドグクラッチ（噛合式クラッチ）からなる前後進切替機構４４が設けられる。即ち、前後進切替機構４４のスリーブ（図示せず）が紙面右側に移動すると第２増速ギア４２が第２副入力軸３０に係合され、主入力軸２６の回転がそのまま（反転されることなく）第２副入力軸３０に入力される結果、車両１４が前進する。一方、前後進切替機構４４のスリーブが紙面左側に移動するとリバースドライブギア４４ａが第２副入力軸３０に係合され、主入力軸２６の回転はリバースドリブンギア４４ｂ、リバースアイドルギア４４ｃ、リバースドライブギア４４ａによって反転されて第２副入力軸３０に入力される結果、車両１４が後進する。【００３３】  中間出力軸４６には第１増速ギア４０に噛合する第３減速ギア４８が相対回転自在に支持されると共に、第３減速ギア４８を中間出力軸４６に結合するＬＯＷ側ドグクラッチ５０およびそのシフトフォーク（ＬＯＷ側シフトフォーク、図示せず）が設けられる。なお、上記したＬＯＷ側ドグクラッチ５０およびＬＯＷ側シフトフォークが低速出力係合機構に相当する。【００３４】  また、中間出力軸４６には第１ファイナルドライブギア５２が固設され、第１ファイナルドライブギア５２はディファレンシャル機構５４のファイナルドリブンギア５６に噛合し、ディファレンシャル機構５４から左右の駆動輪１２に向けて伸びる出力軸５８に接続される。【００３５】  なお、この明細書において、第２副入力軸３０、前後進切替機構４４、第１、第２増速ギア４０，４２、第３減速ギア４８、中間出力軸４６、第１ファイナルドライブギア５２、ファイナルドリブンギア５６およびディファレンシャル機構５４を介して第２プーリ���２ｂから出力軸５８へとトルクを伝達する経路を低速出力経路と呼ぶ。【００３６】  第１副入力軸２８には第２ファイナルドライブギア６０が相対回転自在に支持されると共に、第２ファイナルドライブギア６０を第１副入力軸２８に結合するＨＩＧＨ側ドグクラッチ６２およびそのシフトフォーク（ＨＩＧＨ側シフトフォーク、図示せず）が設けられる。なお、上記したＨＩＧＨ側ドグクラッチ６２およびＨＩＧＨ側シフトフォークが高速出力係合機構に相当する。【００３７】  なお、この明細書において、第１副入力軸２８、第２ファイナルドライブギア６０、ファイナルドリブンギア５６およびディファレンシャル機構５４を介して第１プーリ３２ａから出力軸５８へとトルクを伝達する経路を高速出力経路と呼ぶ。【００３８】  また、上記した第１、第２、第３減速ギア３６，３８，４８、第１、第２増速ギア４０，４２、第１、第２ファイナルドライブギア５２，６０およびファイナルドリブンギア５６がこの実施例に係る副変速機構に相当する。【００３９】  ここで、副変速機構を構成する各ギアのギア比は、以下の通りに設定される。即ち、低速入力経路（第１減速ギア３６から第２減速ギア３８）のギア比をｉred、高速入力経路（第１増速ギア４０から第２増速ギア４２）のギア比をｉind、無段変速機構３２の第１プーリ３２ａから第２プーリ３２ｂへの最小変速比をｉminとすると、ｉred×ｉmin＝ｉindとなるように設定される。また、低速出力経路（第２増速ギア４２から第１増速ギア４０、第１増速ギア４０から第３減速ギア４８（第１ファイナルドライブギア５２）、第１ファイナルドライブギア５２からファイナルドリブンギア５６）のギア比をｉout1、高速出力経路（第２ファイナルドライブギア６０からファイナルドリブンギア５６）のギア比をｉout2とすると、ｉmin×ｉout1＝ｉout2となるように設定される。【００４０】  従って、無段変速機構３２の第１プーリ３２ａから第２プーリ３２ｂへの変速比を最小変速比ｉminに設定した場合、低速入力経路と低速出力経路とで構成される伝達経路、より正確には、低速入力経路から第１プーリ３２ａ、ベルト３２ｃ、第２プーリ３２ｂおよび低速出力経路を通るトルク伝達経路（ＬＯＷモードにおけるトルク伝達経路）の変速比と、高速入力経路と高速出力経路とで構成される伝達経路、より正確には、高速入力経路から第２プーリ３２ｂ、ベルト３２ｃ、第１プーリ３２ａおよび高速出力経路を通るトルク伝達経路（ＨＩＧＨモードにおけるトルク伝達経路）の変速比とが同一の変速比となる。【００４１】  また、トルク伝達経路を切り替える際の変速ショックを低減するためには、伝達経路の切り替えによって変速比の変化が生じることは好ましくないことから、上記した、第１プーリ３２ａから第２プーリ３２ｂへの経路における最小変速比ｉminがトルク伝達経路の切り替え時に設定される切替変速比とされる。【００４２】  ここで、上記構成を備えた無段変速機Ｔの変速モードについて説明する。ＬＯＷモードでは、入力切替機構３４のＬＯＷ摩擦クラッチ３４ａおよびＬＯＷ側ドグクラッチ５０が係合される一方、ＨＩＧＨ摩擦クラッチ３４ｂおよびＨＩＧＨ側ドグクラッチ６２は解放される。また、前後進切替機構４４は前進側（第２増速ギア４２係合）に切り替えられる。【００４３】  従って、ＬＯＷモードにおけるエンジン１０のトルクの伝達経路は、エンジン１０→クランクシャフト２２→トルクコンバータ２４→主入力軸２６→ＬＯＷ摩擦クラッチ３４ａ→低速入力経路（より具体的には、第１減速ギア３６→第２減速ギア３８→第１副入力軸２８）→第１プーリ３２ａ→ベルト３２ｃ→第２プーリ３２ｂ→低速出力経路（より具体的には、第２副入力軸３０→前後進切替機構４４→第２増速ギア４２→第１増速ギア４０→第３減速ギア４８→ＬＯＷ側ドグクラッチ５０→中間出力軸４６→第１ファイナルドライブギア５２→ファイナルドリブンギア５６→ディファレンシャル機構５４）→出力軸５８→駆動輪１２となる。【００４４】  また、ＬＯＷモードからＨＩＧＨモードへの移行中、より正確には、直結ＬＯＷモードでは、ＬＯＷ摩擦クラッチ３４ａおよびＨＩＧＨ側ドグクラッチ６２が係合される一方、ＨＩＧＨ摩擦クラッチ３４ｂおよびＬＯＷ側ドグクラッチ５０は解放される。また、ベルト３２ｃを介してエンジン１０からのトルクが伝達されないように第１、第２プーリ３２ａ，３２ｂの側圧が低減される。【００４５】  従って、直結ＬＯＷモードにおけるエンジン１０のトルクの伝達経路は、エンジン１０→クランクシャフト２２→トルクコンバータ２４→主入力軸２６→ＬＯＷ摩擦クラッチ３４ａ→第１減速ギア３６→第２減速ギア３８→第１副入力軸２８→ＨＩＧＨ側ドグクラッチ６２→第２ファイナルドライブギア６０→ファイナルドリブンギア５６→ディファレンシャル機構５４→出力軸５８→駆動輪１２となる。【００４６】  また、ＨＩＧＨモードでは、入力切替機構３４のＨＩＧＨ摩擦クラッチ３４ｂおよびＨＩＧＨ側ドグクラッチ６２が係合される一方、ＬＯＷ摩擦クラッチ３４ａおよびＬＯＷ側ドグクラッチ５０は解放される。【００４７】  従って、ＨＩＧＨモードにおけるエンジン１０のトルクの伝達経路は、エンジン１０→クランクシャフト２２→トルクコンバータ２４→主入力軸２６→ＨＩＧＨ摩擦クラッチ３４ｂ→高速入力経路（より具体的には、第１増速ギア４０→第２増速ギア４２→前後進切替機構４４→第２副入力軸３０→第２プーリ３２ｂ→ベルト３２ｃ→第１プーリ３２ａ→高速出力経路（より具体的には、第１副入力軸２８→ＨＩＧＨ側ドグクラッチ６２→第２ファイナルドライブギア６０→ファイナルドリブンギア５６→ディファレンシャル機構５４）→出力軸５８→駆動輪１２となる。【００４８】  このように、ＬＯＷモードとＨＩＧＨモードとでは無段変速機構３２におけるトルク伝達経路が反転するように構成されており、これによって無段変速機Ｔ全体におけるオーバーオール変速比を拡大することが可能となる。【００４９】  また、ＨＩＧＨモードからＬＯＷモードへの移行中、より正確には、直結ＨＩＧＨモードでは、ＨＩＧＨ摩擦クラッチ３４ｂおよびＬＯＷ側ドグクラッチ５０が係合される一方、ＬＯＷ摩擦クラッチ３４ａおよびＨＩＧＨ側ドグクラッチ６２は解放される。また、直結ＬＯＷモード同様、ベルト３２ｃを介してエンジン１０からのトルクが伝達されないように第１、第２プーリ３２ａ，３２ｂの側圧が低減される。【００５０】  従って、直結ＨＩＧＨモー��におけるエンジン１０のトルクの伝達経路は、エンジン１０→クランクシャフト２２→トルクコンバータ２４→主入力軸２６→ＨＩＧＨ摩擦クラッチ３４ｂ→第１増速ギア４０→第３減速ギア４８→ＬＯＷ側ドグクラッチ５０→中間出力軸４６→第１ファイナルドライブギア５２→ファイナルドリブンギア５６→ディファレンシャル機構５４→出力軸５８→駆動輪１２となる。【００５１】  車両運転席にはレンジセレクタ７０が設けられ、運転者が例えばＰ（パーキング）、Ｒ（後進）、Ｎ（ニュートラル）、Ｄ（前進）などのレンジのいずれかを選択することで前後進切替機構４４の切り替えが行われる。即ち、運転者のレンジセレクタ７０の操作によるレンジ選択は変速機油圧供給機構７２のマニュアルバルブに伝えられ、車両１４は走行レンジであるＤあるいはＲを選択されると前進あるいは後進走行し、非走行レンジであるＰあるいはＮを選択されるとエンジン１０から駆動輪１２への駆動力（トルク）の伝達を遮断する。【００５２】  なお、図示は省略するが、変速機油圧供給機構７２にはオイルポンプ（送油ポンプ）が設けられ、エンジン１０で駆動されてリザーバに貯留された作動油を汲み上げて油路に吐出する。【００５３】  油路は無段変速機構３２の第１、第２プーリ３２ａ，３２ｂの油圧アクチュエータ３２ａ３，３２ｂ３、前後進切替機構４４のクラッチ、トルクコンバータ２４のロックアップクラッチに電磁弁を介して接続される。【００５４】  エンジン１０のカム軸（図示せず）付近などの適宜位置にはクランク角センサ７４が設けられ、ピストンの所定クランク角度位置ごとにエンジン回転数ＮＥを示す信号を出力する。吸気系においてスロットルバルブ１６の下流の適宜位置には絶対圧センサ７６が設けられ、吸気管内絶対圧（エンジン負荷）ＰＢＡに比例した信号を出力する。【００５５】  ＤＢＷ機構１９のアクチュエータにはスロットル開度センサ７８が設けられ、アクチュエータの回転量を通じてスロットルバルブ１６の開度ＴＨに比例した信号を出力する。【００５６】  前記したアクセルペダル１８の付近にはアクセル開度センサ８０が設けられて運転者のアクセルペダル操作量に相当するアクセル開度ＡＰに比例する信号を出力する。ブレーキペダル２０の付近にはブレーキスイッチ８１が設けられ、運転者によってブレーキペダル２０が操作されてときオン信号を出力する。上記したクランク角センサ７４などの出力は、エンジンコントローラ８２に送られる。【００５７】  主入力軸２６にはＮＴセンサ（回転数センサ）８４が設けられ、主入力軸の回転数ＮＴを示すパルス信号を出力する。【００５８】  無段変速機構３２の第１副入力軸２８にはＮ１センサ（回転数センサ）８６が設けられて第１副入力軸２８の回転数Ｎ１、換言すれば第１プーリ３２ａの回転数に応じたパルス信号を出力する。また、第２副入力軸３０にはＮ２センサ（回転数センサ）８８が設けられて第２副入力軸３０の回転数Ｎ２、換言すれば第２プーリ３２ｂの回転数に応じたパルス信号を出力する。【００５９】  第２ファイナルドライブギア６０の付近には車速センサ（回転数センサ。車速検出手段）９０が設けられて車両１４の走行速度を意味する車速Ｖを示すパルス信号を出力する。また��前記したレンジセレクタ７０の付近にはレンジセレクタスイッチ９２が設けられ、運転者によって選択されたＰ，Ｒ，Ｎ，Ｄなどのレンジに応じた信号を出力する。【００６０】  変速機油圧供給機構７２において、無段変速機構３２の第１、第２プーリ３２ａ，３２ｂに通じる油路にはそれぞれ油圧センサ９４が配置され、第１、第２プーリ３２ａ，３２ｂの油圧アクチュエータ３２ａ３，３２ｂ３のピストン室（図示せず）に供給される油圧に応じた信号を出力する。また、図示は省略するが、前後進切替機構４４のクラッチのピストン室やトルクコンバータ２４のロックアップクラッチのピストン室に連結される油路にもそれぞれ油圧センサが配置され、各供給油圧に応じた信号を出力する。【００６１】  低速／高速出力係合機構、より具体的には、ＬＯＷ側／ＨＩＧＨ側ドグクラッチ５０，６２の付近には第１、第２ストロークセンサ９６，９８が設けられ、ＬＯＷ側／ＨＩＧＨ側ドグクラッチ５０，６２の移動量に応じた信号を出力する。【００６２】  上記したＮＴセンサ８４などの出力は、図示しないその他のセンサの出力も含め、シフトコントローラ１００（制御手段）に送られる。エンジンコントローラ８２とシフトコントローラ１００はＣＰＵ，ＲＯＭ，ＲＡＭ，Ｉ／Ｏなどで構成されるマイクロコンピュータを備えると共に、相互に通信自在に構成される。【００６３】  エンジンコントローラ８２は上記したセンサ出力に基づいて目標スロットル開度を決定してＤＢＷ機構１９の動作を制御し、燃料噴射量や点火時期を決定してインジェクタあるいは点火プラグなどの点火装置の動作を制御する。【００６４】  シフトコントローラ１００は油圧センサ９４の出力に基づきプーリ供給油圧（側圧）を算出し、算出された側圧に応じて変速機油圧供給機構７２の種々の電磁弁を励磁・消磁することにより第１、第２プーリ３２ａ，３２ｂの油圧アクチュエータ３２ａ３，３２ｂ３のピストン室への油圧の給排を制御して無段変速機構３２の動作を制御すると共に、前後進切替機構４４とトルクコンバータ２４の動作を制御する。【００６５】  図２は無段変速機Ｔにおける通常のトルク伝達経路の切替動作、より正確には、車両が高速走行をしている状態（ＨＩＧＨモード）から、減速をして車両１４が停止するときに通常実行される動作を模式的に示す説明図である。なお、図２および後述する図４においてエンジン１０を「ＥＮＧ」、駆動輪１２を「Ｔｉｒｅ」と示す。【００６６】  図２（ａ）は車両１４が高速走行をしている状態（ＨＩＧＨモード）におけるトルク伝達経路を示す。上記したように、この状態ではＨＩＧＨ摩擦クラッチ３４ｂおよびＨＩＧＨ側ドグクラッチ６２が係合される一方、ＬＯＷ摩擦クラッチ３４ａおよびＬＯＷ側ドグクラッチ５０は解放される。【００６７】  また、高速走行中であるため、無段変速機構３２の変速比は最小変速比（ＨＩＧＨモード最小変速比）に設定される。具体的には、第１、第２プーリ３２ａ，３２ｂの側圧を制御してその溝幅を変化させ、ＨＩＧＨモードにおいて入力側となる第２プーリ３２ｂの巻き掛け半径を最大値に設定すると共に、出力側となる第１プーリ３２ａの巻き掛け半径を最小値に設定する。【００６８】  この状態で運転者がブレ��キペダル２０を踏み込むなどして車速Ｖが減速すると、図２（ｂ）に示すトルク伝達経路の切替制御が実行される。【００６９】  具体的には、第１、第２プーリ３２ａ，３２ｂの側圧を制御してその溝幅を変化させ、無段変速機構３２の変速比を切替変速比に設定すると共に、ベルト３２ｃを介して伝達されるトルクがゼロとなるようトルクダウン制御を実行した後、ＬＯＷ摩擦クラッチ３４ａおよびＬＯＷ側ドグクラッチ５０を係合する。【００７０】  また、ＨＩＧＨ摩擦クラッチ３４ｂおよびＨＩＧＨ側ドグクラッチ６２を解放してＬＯＷモードを確立する。さらに、車両１４が停車する場合には、再発進時の駆動力を確保するために無段変速機構３２の変速比を最大変速比（ＬＯＷモード最大変速比）に設定する必要がある。具体的には、第１、第２プーリ３２ａ，３２ｂの側圧を制御してその溝幅を変化させ、ＬＯＷモードにおいて入力側となる第１プーリ３２ａの巻き掛け半径を最小値に設定すると共に、出力側となる第２プーリ３２ｂの巻き掛け半径を最大値に設定する（図２（ｃ））。【００７１】  図２を示して説明したように、車両１４が高速走行中に減速されて停車した場合、通常の手順に従って変速制御を実行すると、無段変速機構３２の変速比を２度変化させる必要があると共に、変速時のショックを低減するためにベルト３２ｃを介して伝達されるトルクの制御（トルクダウン、トルクアップ制御）を実行する必要がある。このため、車両１４が高速走行中に急減速されて停止したような場合には、上記した制御を行っていたのでは変速動作が完了せず、再発進時の駆動力を十分に確保できない虞がある。【００７２】  しかしながら、図２（ａ）および図２（ｃ）の対比から明らかなように、高速走行中における第１、第２プーリ３２ａ，３２ｂおよびベルト３２ｃの設定（ＨＩＧＨモード最小変速比）と、車両１４の再発進待機時におけるこれらの設定（ＬＯＷモード最大変速比）とは、実質的には同一の設定であり、両者はＬＯＷ／ＨＩＧＨ摩擦クラッチ３４ａ，３４ｂおよびＬＯＷ側／ＨＩＧＨ側ドグクラッチ５０，６２の係合状態のみが異なる状態にある。【００７３】  本願発明人は係る事実に着目し、車両１４が高速走行中に急減速した場合であっても、無段変速機構３２の変速比を最大変速比へと変速させることを可能とすべくこの発明をなしたものである。なお、上記したトルク伝達経路の切替制御の詳細は、本出願人が先に提案した特願２０１４−０４３４４１号に記載されているため、これ以上の説明は省略する。【００７４】  図３は上記目的を達成するために実行される、無段変速機Ｔのシフトコントローラ１００の動作を説明するフロー・チャートである。なお、図３の処理は所定時間ごとに繰り返し実行される。【００７５】  以下説明すると、Ｓ１０において、車両１４が急減速、例えば、パニックブレーキが実行されたか否か判断する。Ｓ１０の判断は、車速Ｖの減速度ΔＶが所定値を超えるか否か、あるいは、クランク角センサ７４の出力から得られるエンジン回転数ＮＥの低下率が所定値を超えるか否かを判断することで行われる。【００７６】  なお、パニックブレーキとは運転者によって規定値以上の踏力でディスクブレーキ２０ｃが操作されて駆動輪１２な��の車輪がロックされる可能性がある、いわゆる急ブレーキを意味する。但し、この実施例はパニックブレーキの場合にだけ限定して適用されるものではなく、高速走行中に急減速があった場合に広く適用することが可能である。【００７７】  Ｓ１０で否定される場合は以下の処理をスキップしてＳ１２に進み、通常の変速制御を実行する。一方、Ｓ１０で肯定される場合はＳ１４に進み、車両１４が上記したＨＩＧＨモードで走行中（所定の走行状態にある）か否かを判定する。【００７８】  Ｓ１４で否定される場合は、無段変速機Ｔのモードを切り替える必要はなく、通常の変速制御によっても変速動作が間に合うと判断できるため、以下の処理をスキップしてＳ１２に進む。他方、Ｓ１４で肯定される場合はＳ１６に進み、無段変速機構３２の変速比を所定変速比、より具体的には、ＬＯＷモード最大変速比（第１プーリ３２ａから第２プーリ３２ｂへの最大変速比ｉmax）に設定（維持）する。【００７９】  上述したように、高速（クルーズ）走行中における第１、第２プーリ３２ａ，３２ｂおよびベルト３２ｃの設定（ＨＩＧＨモード最小変速比）と、車両１４が停止したときにおけるこれらの設定（ＬＯＷモード最大変速比）とは、実質的には同一の設定になる。従って、Ｓ１６では無段変速機Ｔの変速モードを切り替えず、無段変速機構３２の変速比をＨＩＧＨモード最小変速比（ＬＯＷモード最大変速比）に設定、即ち、クルーズ走行時の変速比へと設定し、これを維持するようにした。【００８０】  なお、Ｓ１４において、車両１４がＨＩＧＨモードで走行中か否かを判断することに加え（代え）、車両１４が所定速度以上で高速走行している状態、例えば、クルーズ走行状態か否か判断するようにしても良い。クルーズ走行状態であれば、無段変速機構３２の変速比はＨＩＧＨモードにおける最小変速比（あるいはそれに近い変速比）に設定されていることから、かかる場合、Ｓ１６において変速比を変更する必要はなく、その状態における変速比を維持するだけで良い。従って、上記のように構成した場合、確実かつ容易に再発進時の状態であるＬＯＷモード最大変速比を確立することができる。【００８１】  その後、プログラムはＳ１８に進み、車速Ｖが所定速度以下となったか否か判断する。Ｓ１８の判断は、無段変速機構３２のベルト３２ｃを介して伝達されるトルクの制御（トルクダウン制御）を実行せずとも、変速ショックを生じることなくトルク伝達経路の切り替えを実行可能か否か判断することに相当する。従って、上記した所定速度は０ｋｍ／ｈ付近の値とされ、車両１４が停止、あるいはほぼ停止したか否かを判断できる値に設定される。【００８２】  Ｓ１８で否定されるときはＳ１０に戻り上記した処理を繰り返す一方、Ｓ１８で肯定されるときはＳ２０に進み、トルク伝達経路の切替制御を実行する。即ち、再発進時に備えるためにＬＯＷモードを確立、より具体的には、ＨＩＧＨ摩擦クラッチ３４ｂを解放した後、ＨＩＧＨ側ドグクラッチ６２を解放する一方、ＬＯＷ側ドグクラッチ５０を係合し、さらにＬＯＷ摩擦クラッチ３４ａを係合してＬＯＷモードを確立する。【００８３】  即ち、車両１４が停止（あるいはほぼ停止）したことを確認した後は、先ずＨＩＧＨ摩擦クラッチ３４ｂを解放し、入力係合機構（ＬＯＷ／ＨＩＧＨ摩擦クラッチ３４ａ，３４ｂ）をいずれもエンジン１０と切り離してエンジン１０のストールを防止するようにした。【００８４】  図４は上記した図３フロー・チャートの処理に従って実行されるトルク伝達経路の切替動作を模式的に示す説明図である。【００８５】  図４（ａ）は図２（ａ）同様、車両１４が高速走行をしている状態（ＨＩＧＨモード）におけるトルク伝達経路を示す。【００８６】  この状態において、運転者が大きくブレーキペダル２０を踏み込むなどして急減速が指示された場合は、図２を示して説明した通常の手順とは異なり、無段変速機構３２の変速比を維持する（Ｓ１６）。【００８７】  さらに、車両１４が停止またはほぼ停止したと判断されると（Ｓ１８でＹＥＳ）、ＬＯＷ／ＨＩＧＨ摩擦クラッチ３４ａ，３４ｂおよびＬＯＷ側／ＨＩＧＨ側ドグクラッチ５０，６２の持ち替え（切り替え）を実行し（Ｓ２０）、再発進時に備える（図４（ｂ））。【００８８】  即ち、図２を示して説明したような第１、第２プーリ３２ａ，３２ｂに供給される側圧の制御を実行する必要はなく、ＬＯＷ／ＨＩＧＨ摩擦クラッチ３４ａ，３４ｂおよびＬＯＷ側／ＨＩＧＨ側ドグクラッチ５０，６２の切り替えを実行するだけで無段変速機Ｔを再発進時の状態に設定することが可能となる。【００８９】  以上のように、この発明の実施例にあっては、車両１４に搭載されるエンジン（内燃機関。駆動源）１０接続される主入力軸（入力軸）２６と、前記主入力軸２６と前記車両１４のエンジン１０に接続される出力軸５８との間に介挿されて前記主入力軸２６から入力される前記エンジン１０のトルク（駆動力）を無段階に変速する無段変速機構３２と、前記主入力軸２６から入力される前記エンジン１０のトルクを前記無段変速機構３２の一端側（より具体的には、第１プーリ３２ａ側）に入力する低速入力経路と、前記主入力軸２６から入力される前記エンジン１０のトルクを前記無段変速機構３２の他端側（より具体的には、第２プーリ３２ｂ側）に入力する高速入力経路と、前記低速入力経路と前記高速入力経路のうち、前記主入力軸２６から入力されるトルクが伝達されるべき入力経路を選択的に切り替える入力経路切替手段（入力切替機構３４。ＬＯＷ摩擦クラッチ３４ａ，ＨＩＧＨ摩擦クラッチ３４ｂ）と、前記無段変速機構３２および前記入力経路切替手段の動作を制御する制御手段（シフトコントローラ１００）とを備えた無段変速機Ｔの制御装置（シフトコントローラ１００）において、前記車両１４の車速Ｖを検出する車速検出手段（車速センサ９０）と、前記車両１４が急減速したか否か判断する急減速判定手段（シフトコントローラ１００。Ｓ１０）と、前記車両１４が急減速したと判定されたとき、前記エンジン１０のトルクが前記高速入力経路を介して前記無段変速機構３２に入力される所定の走行状態にあるか否か判断する走行状態判断手段（シフトコントローラ１００。Ｓ１４）とを備え、前記制御手段は、前記車両１４が前記急減速したときに前記所定の走行状態にあると判断されたとき、前記無段変速機構３２の変速比を所定変速比（ＨＩＧＨモード最小変速比、ＬＯＷモード最大変速比）に維持すると共に、前記急減速後、前記検出された車速Ｖが所定速度以下となったとき、前記入力経路を切り替える（シフトコントローラ１００。Ｓ１６からＳ２０）ように構成したので、無段変速機構３２を高速走行状態から再発進時の状態へと容易に変速させることができると共に、入力経路（トルク伝達経路）の切り替えに要する時間を短縮することが可能となる。【００９０】  即ち、急減速があった場合にあっても、無段変速機構３２の変速比を所定の変速比（ＨＩＧＨモード最小変速比またはＬＯＷモード最大変速比）に維持するのみとしたので、急減速時における変速を行うための機構を別途設ける必要がなく、簡易な構成でありながら、無段変速機構３２を容易に再発進時の状態へと変速させることができる。【００９１】  また、複数のトルク伝達経路を有する無段変速機にあっては、通常の手順であれば、車両１４が高速走行中に減速された場合、無段変速機構３２の変速制御に加え、入力経路（トルク伝達経路）を高速入力経路から低速入力経路へと切り替える必要があり、変速制御が複雑かつ時間を要する。特に、トルク伝達経路の切り替えに際しては、低速／高速入力経路および低速／高速出力経路を構成するギア機構（ＬＯＷ／ＨＩＧＨ摩擦クラッチ３２ａ，３２ｂおよび低速／高速出力係合機構（ＬＯＷ側／ＨＩＧＨ側シフトフォーク、ＬＯＷ側／ＨＩＧＨ側ドグクラッチ５０，６２））の磨耗や変速ショックを防止するためのトルクダウン制御も必要とされることから、トルク伝達経路の切り替えには相当の時間を要することとなる。しかしながら、この発明にあっては、低速入力経路と高速入力経路とで無段変速機構３２への入力経路が逆転するように構成し、高速走行中に急減速があった場合、車速Ｖが所定速度以下になるまでは入力経路の切り替え（換言すれば、変速モードの切り替え）は行わず、無段変速機構３２の変速比を所定変速比（ＨＩＧＨモード最小変速比またはＬＯＷモード最大変速比）に維持する変速制御のみを実行するように構成したので、容易に再発進時の状態、即ち、最大変速比を確立することが可能となる。また、車速Ｖが所定速度以下になってからトルク伝達経路の切り替えを実行、換言すれば、無段変速機構３２を介して伝達されるトルクが十分小さくなってからトルク伝達経路の切り替えを実行するように構成したので、トルクダウン制御を行わずともギア機構の磨耗や変速ショックを防止することが可能となり、その分だけトルク伝達経路の切り替えに要する時間を短縮することが可能となる。【００９２】  また、前記無段変速機構３２は、第１プーリ３２ａ、第２プーリ３２ｂおよび前記第１プーリ３２ａと第２プーリ３２ｂの間に掛け回される無端可撓性部材（ベルト）３２ｃを有するように構成したので、上記した効果に加え、無段変速機構３２の耐久性を向上することができると共に／または、軽量化を図ることが可能となる。【００９３】  即ち、第１、第２プーリ３２ａ，３２ｂおよび無端可撓性部材（ベルト３２ｃ）を有する無段変速機構３２にあっては、車両１４が高速走行中に急減速した場合、通常の手順によって変速制御を実行すると、第１、第２プーリ３２ａ，３２ｂに供給される側圧を制御して第１、第２プーリ３２ａ，３２ｂの溝幅を変化させなくてはな���ないため、その分だけ第１、第２プーリ３２ａ，３２ｂおよびそこに掛け回されるベルト３２ｃが磨耗する虞があるが、かかる不都合を解消することができるため、第１、第２プーリ３２ａ，３２ｂおよびベルト３２ｃの耐久性を向上させることができると共に、その分だけ軽量化を図ることも可能となる。【００９４】  また、前記所定の走行状態は、前記エンジン１０のトルクが前記高速入力経路を介して前記無段変速機構３２に入力され、かつ、クルーズ走行状態であるように構成したので、上記した効果に加え、無段変速機構３２を高速走行状態から再発進時の状態へとより一層容易に変速させることができる。即ち、クルーズ走行状態にあっては、無段変速機構３２の変速比は最小変速比に設定されるが、ここで無段変速機構３２へのトルク入力経路を高速入力経路から低速入力経路へと逆転させれば、無段変速機構３２を構成する要素（第１、第２プーリ３２ａ，３２ｂ、ベルト３２ｃ）を変化させることなく、確実かつ容易に再発進時の状態である最大変速比を確立することができる。【００９５】  なお、上記した実施例において、無段変速機Ｔの具体的な構成について説明したが、これに限られるものではなく、この発明の要旨は図２や図４に簡略化して示した無段変速機Ｔの構成に相当するものであればどのような無段変速機Ｔに対しても妥当する。【００９６】  また、無段変速機構３２としてベルト式の無段変速機構を例にとって説明したが、これに限られるものではなく、この発明の要旨は、例えば、トロイダル式やチェーン式の無段変速機構にも妥当する。即ち、トロイダル式の無段変速機構を用いた場合、シフトコントローラ１００は、側圧に代えてパワーローラの傾斜角をパラメータとして無段変速機構の動作を制御すれば良い。【００９７】  また、低速／高速入力係合機構として摩擦クラッチ機構、低速／高速出力係合機構として噛合式クラッチ機構を例にとって説明したが、これに限られるものではなく、例えば、全ての入出力係合機構を摩擦クラッチで構成しても良い。
【産業上の利用可能性】
【００９８】  この発明によれば、駆動源の駆動力を無段階に変速する無段変速機構と、駆動力を、無段変速機構の一端側に入力する低速入力経路および他端側に入力する高速入力経路と、入力経路を選択的に切り替える入力経路切替手段と、無段変速機構および入力経路切替手段を制御する制御手段とを備えた無段変速機の制御装置において、車両が急減速したと判定されたとき、車両が所定の走行状態にあるか否か判断し、急減速したときに所定の走行状態にあると判断したときは無段変速機構の変速比を所定変速比に維持すると共に、車速が所定速度以下となったとき、入力経路を切り替えるように構成したので、無段変速機構を高速走行状態から再発進時の状態へと容易に変速させることができると共に、入力経路の切り替えに要する時間を短縮することが可能となる。
【符号の説明】
【００９９】  Ｔ  無段変速機、１０  エンジン（内燃機関。駆動源）、１４  車両、２６  主入力軸、２８  第１副入力軸、３０  第２副入力軸、３２  無段変速機構、３２ａ  第１プーリ、３２ｂ  第２プーリ、３２ｃ  ベルト、３４  入力切替機構、３４ａ  ＬＯＷ摩擦クラッチ（低速入力係合機構）、３４ｂ  ＨＩＧＨ摩擦クラッチ（高速入力係合機構）、３６  第１減速ギア、３８  第２減速ギア、４０  第１増速ギア、４２  第２増速ギア、４４  前後進切替機構、４６  中間出力軸、４８  第３減速ギア、５０  ＬＯＷ側ドグクラッチ（低速出力係合機構）、５２  第１ファイナルドライブギア、５４  ディファレンシャル機構、５６  ファイナルドリブンギア、５８  出力軸、６０  第２ファイナルドライブギア、６２  ＨＩＧＨ側ドグクラッチ（高速出力係合機構）、９０  車速センサ、９６  第１ストロークセンサ、９８  第２ストロークセンサ、１００  シフトコントローラ
【図１】
2015141547.tif 000003
【図２】
2015141547.tif 000004
【図３】
2015141547.tif 000005
【図４】
2015141547.tif 000006
【国際調査報告】
2015141547.tif 000007
2015141547.tif 000008
2015141547.tif 000009